(57)【要約】【課題】本発明は、コントラストが向上され、電力消費が低減されるプラズマディスプレイ装置及びその駆動方法を提供することにある。  【解決手段】本発明の実施形態に係わるプラズマディスプレイ装置は、電極が形成されたプラズマディスプレイパネル１００と、プラズマディスプレイパネル１００の特定領域に該当する全体映像信号の一部を階調値０に設定し、階調値０に該当する映像データを所定のフレーム以上の時間の間、出力する領域設定部１１０と、前記映像データに該当する駆動信号を電極に供給する電極駆動部１７０〜１９０と、を含むことを特徴とする。【選択図】図１
2006285248.tif 000002
【特許請求の範囲】
【請求項１】
電極が形成されたプラズマディスプレイパネルと、
該プラズマディスプレイパネルの特定領域に該当する全体映像信号の一部を階調値０に設定し、該階調値０に該当する映像データを所定のフレーム以上の時間の間、出力する領域設定部と、
前記映像データに該当する駆動信号を前記電極に供給する電極駆動部と、
を含むことを特徴とするプラズマディスプレイ装置。
【請求項２】
前記プラズマディスプレイパネルの全体領域が、上部、第１の中央部及び下部、または、左側部、第２の中央部、及び右側部に区分され、
前記特定領域が、上部、下部、左側部または右側部のうち、少なくとも一つを含むことを特徴とする請求項１に記載のプラズマディスプレイ装置。
【請求項３】
前記領域設定部が、
前記全体映像信号の一部を検出する信号検出部と、
前記全体映像信号の一部によって前記特定領域上に表示されるオブジェクトの存在有無を判断するオブジェクト判断部と、
前記特定領域で前記オブジェクトが占める領域を除いた残りの領域に該当する映像信号の階調値を前記階調値０に設定し、前記映像データを出力する領域設定遂行部と、
を含むことを特徴とする請求項１に記載のプラズマディスプレイ装置。
【請求項４】
前記所定フレームの個数が、５であることを特徴とする請求項１に記載のプラズマディスプレイ装置。
【請求項５】
前記電極が、アドレス電極を含み、
前記電極駆動部は、
前記階調値０に該当する映像データに応じて駆動信号を前記アドレス電極に供給することを特徴とする請求項４に記載のプラズマディスプレイ装置。
【請求項６】
前記全体映像信号の一部の平均階調値が、第１の閾値以下であることを特徴とする請求項３に記載のプラズマディスプレイ装置。
【請求項７】
前記オブジェクト判断部は、
前記特定領域のＭ×Ｎブロック（但し、Ｍ，Ｎは自然数）に含まれた複数個のセルグループの中で第２の閾値より大きい階調値を持つセルグループの個数が基準値より大きい場合、前記オブジェクトが存在すると判断し、
前記Ｍが、横セルグループの個数で、Ｎが、縦セルグループの個数であることを特徴とする請求項３に記載のプラズマディスプレイ装置。
【請求項８】
前記セルグループが、ピクセルを含むことを特徴とする請求項７に記載のプラズマディスプレイ装置。
【請求項９】
前記第１の閾値が、１であることを特徴とする請求項６に記載のプラズマディスプレイ装置。
【請求項１０】
前記第２の閾値が、１であることを特徴とする請求項７に記載のプラズマディスプレイ装置。
【請求項１１】
前記基準値が、３個以上であることを特徴とする請求項７に記載のプラズマディスプレイ装置。
【請求項１２】
複数の電極が形成されたプラズマディスプレイパネルと、
該プラズマディスプレイパネルの特定領域に該当する全体映像信号の一部を階調値０に設定し、該階調値０に該当する映像データを出力する領域設定部と、
前記複数の電極のうち、前記特定領域に位置した一つ以上の電極に供給される駆動信号を遮断する電極駆動部と、
を含むことを特徴とするプラズマディスプレイ装置。
【請求項１３】
前記一つ以上の電極は、前記オブジェクトが表示される領域と交差しないことを特徴とする、請求項１２に記載のプラズマディスプレイ装置。
【請求項１４】
前記電極駆動部が、
前記複数の電極のうち、前記特定領域に位置した一つ以上の電極に供給される前記駆動信号を遮断する第１の駆動信号印加部と、
前記残りの電極に前記映像データに該当する駆動信号を出力する第２の駆動信号印加部と、
を含むことを特徴とする請求項１２に記載のプラズマディスプレイ装置。
【請求項１５】
前記第１の駆動信号印加部が、サステイン期間に前記一つ以上の電極に供給されるサステイン信号を遮断するブロッキングスイッチを含むことを特徴とする、請求項１４に記載のプラズマディスプレイ装置。
【請求項１６】
複数の電極が形成されたプラズマディスプレイパネルを含むプラズマディスプレイ装置の駆動方法において、
全体映像信号のうち、前記プラズマディスプレイパネルの特定領域に該当する映像信号を階調値０に設定するステップと、
該階調値０に該当する映像データを所定のフレーム以上の時間の間、出力するステップと、
前記映像データに該当する駆動信号を前記特定領域内にある一つ以上の電極に供給するステップと、
を含むことを特徴とするプラズマディスプレイ装置の駆動方法。
【請求項１７】
前記階調値０に設定するステップが、
前記全体映像信号の一部を検出するステップと、
前記全体映像信号に応じて前記特定領域上に表示されるオブジェクトの存在有無を判断するステップと、
前記特定領域で前記オブジェクトが占める領域を除いた残りの領域に該当する映像信号の階調値を前記階調値０に設定するステップと、
を含むことを特徴とする請求項１６に記載のプラズマディスプレイ装置の駆動方法。
【請求項１８】
前記全体映像信号の一部の平均階調値が、第１の閾値以下であることを特徴とする、請求項１７に記載のプラズマディスプレイ装置の駆動方法。
【請求項１９】
前記特定領域のＭ×Ｎブロック（但し、Ｍ，Ｎは自然数）に含まれた複数個のセルグループの中で第２の閾値より大きい階調値を持つセルグループの個数が基準値より大きい場合、前記オブジェクトが存在すると判断し、
前記Ｍが、横セルグループの個数で、Ｎが、縦セルグループの個数であることを特徴とする、請求項１７に記載のプラズマディスプレイ装置の駆動方法。
【請求項２０】
前記セルグループが、ピクセルを含むことを特徴とする、請求項１９に記載のプラズマディスプレイ装置の駆動方法。
【請求項２１】
前記所定フレームの個数が５以上であることを特徴とする、請求項１６に記載のプラズマディスプレイ装置。
【請求項２２】
前記複数の電極のうち、前記オブジェクトに該当する領域と交差しない電極に供給される駆動信号が遮断されることを特徴とする、請求項１７に記載のプラズマディスプレイ装置の駆動方法。
【請求項２３】
前記特定領域が、前記プラズマディスプレイパネルを介して映像がディスプレイされる全体領域の１／２以下であることを特徴とする、請求項１６に記載のプラズマディスプレイ装置の駆動方法。
【請求項２４】
複数の電極が形成されたプラズマディスプレイパネルを含むプラズマディスプレイ装置の駆動方法において、
前記プラズマディスプレイパネルの特定領域のうち、少なくとも一部領域に該当する０階調映像信号を所定のフレーム以上の時間の間、出力するステップと、
前記少なくとも一部領域に位置したセルを駆動するための駆動信号を遮断するステップと、
を含むことを特徴とするプラズマディスプレイ装置の駆動方法。
【請求項２５】
前記駆動信号が、リセット信号またはサステイン信号であることを特徴とする、請求項２４に記載のプラズマディスプレイ装置の駆動方法。
【請求項２６】
前記特定領域が、前記プラズマディスプレイパネルを介して映像がディスプレイされる全体領域の１／２以下であることを特徴とする、請求項２４に記載のプラズマディスプレイ装置の駆動方法。
【請求項２７】
前記所定フレームの個数が５であることを特徴とする、請求項２４に記載のプラズマディスプレイ装置。
【発明の詳細な説明】
【技術分野】
【０００１】
本発明は、プラズマディスプレイ装置及びその駆動方法に関する。
【背景技術】
【０００２】
プラズマディスプレイ装置は、プラズマディスプレイパネルを介して映像がディスプレイされる装置である。プラズマディスプレイパネルの各セル内には、ネオン（Ｎｅ）、ヘリウム（Ｈｅ）、またはネオン及びヘリウムの混合気体（Ｎｅ＋Ｈｅ）のような主放電気体と少量のキセノンを含有する不活性ガスが充填される。プラズマディスプレイパネルの電極に高周波電圧が供給されれば、セル内に充填された不活性ガスは、真空紫外線（Vacuum Ultraviolet rays）を発生させ、隔壁間に形成された蛍光体が発光されて画像が具現化される。
【０００３】
プラズマディスプレイパネルを介して画像を表示するためには、映像信号が逆ガンマ補正やハーフトーニング過程などを通じてプラズマディスプレイパネルに合うように処理されなければならない。
【０００４】
プラズマディスプレイ装置を介して映像がディスプレイされる時、画面比率の差によってブラック領域が現れる。例えば、放送局で送出する映像信号の画面比率は、１．３３：１であり、映画での画面比率は、１．８５：１または２．３５：１であるから、プラズマディスプレイ装置を介して映画がディスプレイされる時、ブラック領域がプラズマディスプレイパネルを介して現れる。
【発明の開示】
【発明が解決しようとする課題】
【０００５】
従来のプラズマディスプレイ装置では、上述したように画面比率の差によって生じるブラック領域が現れる場合であっても、ブラック領域を考慮した駆動を行っておらず、ブラック領域が現れる場合の駆動方法に改善の余地がある。
本発明の目的は、プラズマディスプレイ装置において、ブラック領域が現れる場合において、より向上した駆動方法を提供することにある。
【課題を解決するための手段】
【０００６】
本発明の実施形態に係わるプラズマディスプレイ装置は、電極が形成されたプラズマディスプレイパネルと、該プラズマディスプレイパネルの特定領域に該当する全体映像信号の一部を階調値０に設定し、該階調値０に該当する映像データを所定のフレーム以上の時間の間、出力する領域設定部と、前記映像データに該当する駆動信号を前記電極に供給する電極駆動部とを含む。
本発明の実施形態に係わるプラズマディスプレイ装置は、複数の電極が形成されたプラズマディスプレイパネルと、該プラズマディスプレイパネルの特定領域に該当する全体映像信号の一部を階調値０に設定し、該階調値０に該当する映像データを出力する領域設定部と、前記複数の電極のうち、前記特定領域に位置した一つ以上の電極に供給される駆動信号を遮断する電極駆動部とを含む。
【０００７】
本発明の実施形態に係わるプラズマディスプレイ装置の駆動方法は、全体映像信号のうち、前記プラズマディスプレイパネルの特定領域に該当する映像信号を階調値０に設定するステップと、該階調値０に該当する映像データを所定のフレーム以上の時間の間、出力するステップと、前記映像データに該当する駆動信号を前記特定領域内にある一つ以上の電極に供給するステップとを含む。
【０００８】
本発明の実施形態に係わるプラズマディスプレイ装置の駆動方法は、前記プラズマディスプレイパネルの特定領域のうち、少なくとも一部領域に該当する０階調映像信号を所定のフレーム以上の時間の間、出力するステップと、前記少なくとも一部領域に位置したセルを駆動するための駆動信号を遮断するステップとを含む。
【０００９】
本発明の実施形態に係わるプラズマディスプレイ装置は、電極が形成されたプラズマディスプレイパネルと、該プラズマディスプレイパネルの特定領域に該当する全体映像信号の一部を階調値０に設定し、該階調値０に該当する映像データを所定のフレーム以上の時間の間、出力する領域設定部と、前記映像データに該当する駆動信号を前記電極に供給する電極駆動部とを含む。
【００１０】
前記プラズマディスプレイパネルの全体領域が、上部、第１の中央部及び下部または左側部、第２の中央部及び右側部に区分され、前記特定領域が、上部、下部、左側部または右側部のうち、少なくとも一つを含むことができる。
【００１１】
前記領域設定部が、前記全体映像信号の一部を検出する信号検出部、前記全体映像信号の一部によって前記特定領域上に表示されるオブジェクトの存在有無を判断するオブジェクト判断部、及び前記特定領域で前記オブジェクトが占める領域を除いた残りの領域に該当する映像信号の階調値を前記階調値０に設定し、前記映像データを出力する領域設定遂行部を含むことができる。
【００１２】
前記所定フレームの個数が、５であることができる。
【００１３】
前記電極が、アドレス電極を含み、前記電極駆動部は、前記階調値０に該当する映像データに応じて駆動信号を前記アドレス電極に供給することができる。
【００１４】
前記全体映像信号の一部の平均階調値が、第１の閾値以下であることができる。
【００１５】
前記オブジェクト判断部は、前記特定領域のＭ×Ｎブロックに含まれた複数個のセルグループの中で第２の閾値より大きい階調値を持つセルグループの個数が基準値より大きい場合、前記オブジェクトが存在すると判断し、前記Ｍが、横セルグループの個数で、Ｎが、縦セルグループの個数である。
【００１６】
前記セルグループが、ピクセルを含むことができる。
【００１７】
前記第１の閾値が、１であることができる。
【００１８】
前記第２の閾値が、１であることができる。
【００１９】
前記基準値が、３個以上であることができる。
【００２０】
本発明の実施形態に係わるプラズマディスプレイ装置は、複数の電極が形成されたプラズマディスプレイパネルと、該プラズマディスプレイパネルの特定領域に該当する全体映像信号の一部を階調値０に設定し、該階調値０に該当する映像データを出力する領域設定部と、前記複数の電極のうち、前記特定領域に位置した一つ以上の電極に供給される駆動信号を遮断する電極駆動部とを含む。
【００２１】
前記一つ以上の電極は、前記オブジェクトが表示される領域と交差しないことができる。
【００２２】
前記電極駆動部が、前記複数の電極のうち、前記特定領域に位置した一つ以上の電極に供給される前記駆動信号を遮断する第１の駆動信号印加部、及び前記残りの電極に前記映像データに該当する駆動信号を出力する第２の駆動信号印加部を含むことができる。
【００２３】
前記第１の駆動信号印加部が、サステイン期間に前記一つ以上の電極に供給されるサステイン信号を遮断するブロッキングスイッチを含むことができる。
【００２４】
本発明の実施形態に係わるプラズマディスプレイ装置の駆動方法は、全体映像信号のうち、前記プラズマディスプレイパネルの特定領域に該当する映像信号を階調値０に設定するステップと、該階調値０に該当する映像データを所定のフレーム以上の時間の間、出力するステップと、前記映像データに該当する駆動信号を前記特定領域内にある一つ以上の電極に供給するステップとを含む。
【００２５】
前記階調値０に設定するステップが、前記全体映像信号の一部を検出するステップと、前記全体映像信号に応じて前記特定領域上に表示されるオブジェクトの存在有無を判断するステップと、及び前記特定領域で前記オブジェクトが占める領域を除いた残りの領域に該当する映像信号の階調値を前記階調値０に設定するステップを含むことができる。
【００２６】
前記複数の電極のうち、前記オブジェクトに該当する領域と交差しない電極に供給される駆動信号が遮断されることができる。
【００２７】
前記特定領域が、前記プラズマディスプレイパネルを介して映像がディスプレイされる全体領域の１／２以下であることができる。
【発明の効果】
【００２８】
本発明によれば、特定領域に位置しながら、オブジェクトと交差しないスキャン電極に供給される駆動信号を遮断することによって、コントラストが向上され、電力消費が低減する。
【発明を実施するための最良の形態】
【００２９】
以下、本発明の具体的な実施形態を添付された図面を参照して説明する。
【００３０】
図1は、本発明の実施形態に係わるプラズマディスプレイ装置のブロック図である。図１に示すように、本発明の実施形態に係わるプラズマディスプレイ装置は、プラズマディスプレイパネル１００、領域設定部１１０、逆ガンマ補正部１２０、ゲイン制御部１３０、ハーフトーニング部１４０、サブフィールドマッピング部１５０、データアラインメント部１６０、アドレス電極駆動部１７０、スキャン電極駆動部１８０、サステイン電極駆動部１９０及びコントローラ２００を含む。
【００３１】
プラズマディスプレイパネル１００は、映像データに該当する駆動信号を供給されるアドレス電極、セル内部の壁電荷を均一にするためのリセット信号、セルを選択するためのスキャン信号及び選択されたセルの放電を維持するためのサステイン信号を供給されるスキャン電極、及び選択されたセルの放電を維持するためのサステイン信号を供給されるサステイン電極を含む。
【００３２】
領域設定部１１０は、全体映像信号の一部を階調値０に設定し、該階調値０に該当する映像データを所定のフレーム以上の時間の間、出力する。全体映像信号の一部は、プラズマディスプレイパネル１００の特定領域に該当するものである。すなわち、領域設定部１１０は、画面比率の差によって発生するブラック領域に該当する映像信号を階調値０に設定し、階調値０に該当する映像データを所定フレーム以上の時間の間、出力する。領域設定部１１０は、階調値０に該当する映像データを５フレーム以上の時間の間、出力できる。これにより、特定領域の輝度が最小化されるので、映像が表示される一般領域に対する視聴者の集中度が高まり、プラズマディスプレイ装置のコントラストが増加する。
【００３３】
逆ガンマ補正部１２０は、領域設定部１１０から入力される映像データと一般領域に該当する映像信号を逆ガンマ補正する。
【００３４】
ゲイン制御部１３０は、逆ガンマ補正部１２０で補正された映像データ及び映像信号のゲインを調整する。
【００３５】
ハーフトーニング部１４０は、ゲイン制御部１３０から入力された映像データ及び映像信号の量子化誤差を拡散させ、ディザリングを行う。
【００３６】
サブフィールドマッピング部１５０は、ハーフトーニング部１４０から入力された映像データ及び映像信号をサブフィールドにマッピングする。
【００３７】
データアラインメント部１６０は、映像データまたは映像信号に対して、サブフィールドマッピングがなされたサブフィールドデータをサブフィールド別にリアラインメント（再整列）してアドレスデータを出力する。
【００３８】
領域設定部１１０から出力される映像データのうち特定領域に対応する映像データは、階調値０に該当するので、逆ガンマ補正部１２０、ゲイン制御部１３０、ハーフトーニング部１４０、サブフィールドマッピング部１５０及びデータアラインメント部１７０の動作を行う時、ノイズが抑制され得る。特に、ハーフトーニング部１４０では、映像データのハーフトーニング過程で発生するハーフトーニングパターンが防止できる。
【００３９】
本発明の実施形態に係わるプラズマディスプレイ装置は、特定領域に該当する映像信号の階調値を０に設定することによって、ＡＰＬ（Average Picture Level）を減少させ、サステイン個数の加重値を増加させてコントラストを増加させることができる。
【００４０】
アドレス電極駆動部１７０は、コントローラ２００の制御に応じてデータアラインメント部１６０から出力されたアドレスデータによる駆動信号をプラズマディスプレイパネル１００のアドレス電極に供給する。すなわち、アドレス電極駆動部１７０は、領域設定部１１０から出力された映像データに該当する駆動信号をアドレス電極に供給する。本発明の実施形態に係わるプラズマディスプレイ装置は、特定領域に該当する映像信号の階調値を０に設定することによって、アドレス電極駆動部１７０のスイッチング回数が減少する。
【００４１】
スキャン電極駆動部１８０は、コントローラ２００の制御に応じてプラズマディスプレイパネル１００のスキャン電極にリセット信号、スキャン信号、またはサステイン信号を供給する。
【００４２】
サステイン電極駆動部１９０は、コントローラ２００の制御に応じてプラズマディスプレイパネル１００のサステイン電極にサステイン信号を供給する。
【００４３】
次に、本発明の実施形態に係わるプラズマディスプレイ装置の領域設定部を図面を参照して詳細に説明する。
【００４４】
図２は、本発明の実施形態に係わるプラズマディスプレイ装置の領域設定部のブロック図である。図３は、本発明の実施形態に係わるプラズマディスプレイ装置に表示された画像の一例を示したものである。図２に示すように、本発明の実施形態に係わるプラズマディスプレイ装置の領域設定部１１０は、信号検出部１１１、オブジェクト判断部１１３及び領域設定遂行部１１５を含む。
【００４５】
信号検出部１１１は、全体映像信号のうち、平均階調値が第１の閾値以下である一部映像信号を検出する。すなわち、前述した画面比率の差のような理由によって、図３のプラズマディスプレイパネルの特定領域３１０、３３０が黒い色で表示される場合、信号検出部１１１は、特定領域３１０、３３０に該当する映像信号を検出するために全体映像信号のうち、平均階調値が第１の閾値以下である一部映像信号を検出する。本発明の実施形態での第１の閾値は、１である。
【００４６】
オブジェクト判断部１１３は、全体映像信号に応じて特定領域３１０、３３０上に表示されるオブジェクト３１５、３３５の存在有無を判断する。本発明の実施形態では、上部の特定領域３１０に、ロゴのようなオブジェクト３１５が表示され、下部の特定領域３３０に、サブスクリーンのようなオブジェクト３３５が表示される。特定領域３１０、３３０に含まれたセルグループが複数個のＭ×Ｎブロックに分けられる時、オブジェクト判断部１１３は、複数個のＭ×Ｎブロックの各々に含まれた複数個のセルグループの中で第２の閾値を超える階調値を持つセルグループの個数が基準値より大きい場合、オブジェクトが存在すると判断する。
【００４７】
Ｍは、横セルグループの個数で、Ｎは、縦セルグループの個数である。本発明の実施形態では、３×３ブロックが使用される。また、セルグループは、一つ以上のセルを含み、本発明の実施形態でセルグループは、レッド（Red）蛍光体が形成されたセル、グリーン（Green）蛍光体が形成されたセル及びブルー（Blue）蛍光体が形成されたセルからなるピクセルである。
【００４８】
例えば、図３に示すように、１．３３：１（＝４：３）の画面に１．８５：１（＝１６：９）の映像信号を表示すると、４８０個のスキャンラインを支援する画面では、画面の上部に位置する６０個のスキャンラインのブラック領域３１０と画面の下部に位置する６０個のスキャンラインのブラック領域３３０が表示される。
【００４９】
第２の閾値が1で、基準値が３である場合、オブジェクト判断部１１３は、図３の３×３ブロック内に含まれた９個のセルグループの各々の階調値と第２の閾値（＝１）とを比較する。オブジェクト判断部１１３は、比較過程で第２の閾値（＝１）より大きい階調値を持つセルグループの個数をカウントする。オブジェクト判断部１１３は、カウントされたセルグループの個数が基準値（＝３）より大きい場合、３×３ブロックの中心にあるセルグループ（５）がオブジェクトであると判断する。設定によって、オブジェクト判断部１１３は、３×３ブロックがオブジェクトであると判断することもできる。オブジェクト判断部１１３は、一つの３×３ブロックに対するオブジェクト判断が完了すれば、次の３×３ブロックに対するオブジェクト判断を同じ方法で行う。
【００５０】
本発明の実施形態に係わるプラズマディスプレー装置のオブジェクト判断部１１３は、ノイズにより階調値の大きいピクセルがオブジェクトとして判断されることを防止するために、ブロック単位でオブジェクトの存在有無を判断することによって、オブジェクト判断の信頼性が確保される。
【００５１】
領域設定遂行部１１５は、特定領域でオブジェクトが占める領域を除いた残りの領域に該当する映像信号の階調値を階調値０に設定し、階調値０に該当する映像データを出力する。
【００５２】
本発明の実施形態での特定領域３１０、３３０は、プラズマディスプレイパネルを介して映像がディスプレイされる全体領域の１／２以下であり得る。
【００５３】
図３に示すように、本発明の実施形態に係わるプラズマディスプレイ装置が表示する映像において、オブジェクトが必ず存在するとは限らない。また、図３では、特定領域が、画面が表示されるプラズマディスプレイパネルの上部または下部のうち、少なくとも一つであるが、特定領域が、画面が表示されるプラズマディスプレイパネルの左側部または右側部のうち、少なくとも一つであることもできる。
【００５４】
図１に示すように、本発明の実施形態に係わるプラズマディスプレイ装置のスキャン電極駆動部１８０は、特定領域に位置した一つ以上のスキャン電極に供給されるリセット信号またはサステイン信号を遮断することができる。本発明の実施形態に係わるプラズマディスプレイ装置は、リセット信号またはサステイン信号を遮断することによって、コントラストを向上させ、電力消費を低減することができる。
【００５５】
図４は、本発明の実施形態に係わるプラズマディスプレイ装置のスキャン電極駆動部の回路図である。図４に示すように、本発明の実施形態に係わるプラズマディスプレイ装置のスキャン電極駆動部１８０は、サステイン電圧供給部４００と、セットアップ電圧供給部４０１と、サステイン電圧制御スイッチＱ６と、セットアップ電圧制御スイッチＱ７と、セットダウン電圧供給部４０２と、スキャン電圧供給部４０３と、第１の駆動信号印加部４０４と、第２の駆動信号印加部４０５と、を含む。
【００５６】
サステイン電圧供給部４００は、サステイン電圧Ｖｓを第３のスイッチＱ３を介して図３の複数のスキャン電極Ｙ２、Ｙ３、Ｙ６１に供給し、無効エネルギーを第１のスイッチＱ１及び第２のスイッチＱ２の動作によってスキャン電極Ｙ２、Ｙ３、Ｙ６１を介して供給したり、回収したりする。複数のスキャン電極Ｙ２、Ｙ３、Ｙ６１のうち、スキャン電極Ｙ２とスキャン電極Ｙ３は、図３の特定領域３１０に位置し、スキャン電極Ｙ６１は、映像が表示される一般領域３２０に位置する。
【００５７】
セットアップ電圧供給部４０１は、サステイン電圧供給部４００から供給されたサステイン電圧Ｖｓとセットアップ電圧源Ｖｓｅｔｕｐの電圧値との合計を供給されて、第５のスイッチＱ５の動作によって、サステイン電圧Ｖｓから立ち上がるランプ信号をスキャン電極Ｙ２、Ｙ３、Ｙ６１に印加する。
【００５８】
セットダウン電圧供給部４０２は、セットアップ電圧供給部４０１から立ち上がりランプ信号が供給された後に、第１０のスイッチＱ１０の動作によって、サステイン電圧Ｖｓから立ち下がるランプ信号をスキャン電極Ｙ２、Ｙ３、Ｙ６１に印加する。
【００５９】
セットアップ電圧供給部４０１によって形成される立ち上がりランプ信号とセットダウン電圧供給部４０２によって形成される立ち下がりランプ信号とは、リセット信号を形成する。
【００６０】
スキャン電圧供給部４０３は、ターンオンされるセルの選択のための書き込みスキャン電圧−Ｖｙを第１１のスイッチＱ１１の動作によって、スキャン電極Ｙ２、Ｙ３、Ｙ６１に順次供給する。
【００６１】
サステイン電圧制御スイッチＱ６は、サステイン電圧供給部４００がスキャン電極Ｙ２、Ｙ３、Ｙ６１にサステイン電圧Ｖｓを供給するか、または回収するための経路上に位置する。
【００６２】
セットアップ電圧制御スイッチＱ７は、サステイン電圧制御スイッチＱ６と互いに異なる方向の内部ダイオードを含んで、第２のノードｎ２に印加される電圧が、グラウンドレベルの電圧ＧＮＤになることを防止する。
【００６３】
第１の駆動信号印加部４０４は、図1のコントローラ２００の制御に応じて、図３の複数のスキャン電極Ｙ２、Ｙ３、Ｙ６１のうち、特定領域３１０に位置しながら、オブジェクト３１５と交差しないスキャン電極Ｙ２に供給される駆動信号を遮断する。
【００６４】
第１の駆動信号印加部４０４は、駆動信号をスキャン電極Ｙ２に印加する第１のドライブ集積回路４１０と、アドレス期間の間、第１のドライブ集積回路４１０を介してスキャン基準電圧Ｖｓｃを供給するための第１のスキャン基準電圧供給部４０９と、リセット信号、サステイン信号及びスキャン信号の供給のための経路上に位置し、第１のドライブ集積回路４１０とスキャン基準電圧供給部４０９とに共通接続されるブロッキングスイッチ６０８と、を含む。
【００６５】
図1のコントローラ２００は、領域設定部１１０から階調値０に該当する映像データを受信して、図３のオブジェクト３１５と交差しないスキャン電極Ｙ２と接続された図４の第１の駆動信号印加部４０４のブロッキングスイッチ４０８をターンオフさせる。ブロッキングスイッチ４０８をターンオフすることにより、オブジェクト３１５と交差しないスキャン電極Ｙ２に供給されるリセット信号、サステイン信号、またはスキャン信号のうち、少なくとも一つを遮断する。
【００６６】
すなわち、第１の駆動信号印加部４０４は、オブジェクトと交差しないスキャン電極に供給される駆動信号を遮断する。これにより、オブジェクトと交差しないスキャン電極上に位置するセルでは放電が起こらない。オブジェクト３１５がない場合、特定領域に位置した全てのスキャン電極と接続した駆動信号印加部は、ブロッキングスイッチを含むことができる。
【００６７】
第２の駆動信号印加部４０５は、駆動信号をスキャン電極Ｙ３またはＹ６１に印加する第２のドライブ集積回路４０７と、アドレス期間の間、第２のドライブ集積回路４０７を介してスキャン基準電圧Ｖｓｃを供給するための第２のスキャン基準電圧供給部４０６と、を含む。すなわち、第２の駆動信号印加部６０５は、図３の特定領域３１０に位置しながら、オブジェクト３１５と交差するスキャン電極Ｙ３または一般領域３２０に位置するスキャン電極Ｙ６１にリセット信号、サステイン信号及びスキャン信号を供給する。すなわち、第２の駆動信号印加部４０５は、オブジェクトと交差するスキャン電極及び一般領域３２０に位置するスキャン電極に駆動信号を供給する。
【図面の簡単な説明】
【００６８】
【図１】本発明の実施形態に係わるプラズマディスプレイ装置のブロック図である。
【図２】本発明の実施形態に係わるプラズマディスプレイ装置の領域設定部のブロック図である。
【図３】本発明の実施形態に係わるプラズマディスプレイ装置に表示された画像の一例を示したものである。
【図４】本発明の実施形態に係わるプラズマディスプレイ装置のスキャン電極駆動部の回路図である。
【図１】
2006285248.tif 000003
【図２】
2006285248.tif 000004
【図３】
2006285248.tif 000005
【図４】
2006285248.tif 000006